(57)【要約】【課題】閉止状態において、化粧料収容部の高い気密性を実現することが可能なスライド式化粧料容器を提供する。【解決手段】収納ケース３は、収納された容器本体２の上面２ｅを覆う天板部３ａと、スライド方向と交差する方向の天板部の両端部から垂設されたケース側板部とを備え、容器本体は、化粧料収容部２ａと、上方に突出し化粧料収容部を囲む環状パッキン５と、収納ケース内への収納状態でケース側板部と対向する容器側壁部とを備え、ケース側板部及び容器側壁部のいずれか一方には、他方側に突出するスライド用レール３ｄが設けられ、他方には容器本体がスライド移動するときにスライド用レールが係合されるスライド用溝２ｇが設けられ、スライド用レールは、環状パッキンが天板部に押圧されて容器本体が収納ケース内に収納されたときに、環状パッキンが天板部に均一に接するようにスライド用溝と係合している。【選択図】図４
2018149146.tif 000002
【特許請求の範囲】
【請求項１】
化粧料を収容する容器本体が当該容器本体を収納可能な収納ケースに対しスライド方向にスライド移動自在に設けられているスライド式化粧料容器であって、
前記収納ケースは、少なくとも収納された前記容器本体の上面を覆う天板部と、前記天板部における、スライド方向と交差する方向の両端部から各々垂設されたケース側板部とを備え、
前記容器本体は、下方に窪む化粧料収容部と、上方に突出し前記化粧料収容部を囲む環状パッキンと、前記収納ケース内に収納された状態で前記ケース側板部と各々対向する容器側壁部とを備え、
前記ケース側板部と前記容器側壁部とのうちのいずれか一方には、他方側に突出するスライド用レールが設けられ、いずれか他方には前記容器本体がスライド移動するときに前記スライド用レールが係合されるスライド用溝が設けられ、
前記スライド用レールは、前記環状パッキンが前記天板部に押圧されて前記容器本体が前記収納ケース内に収納されたときに、前記環状パッキンが前記天板部に均一に接するように前記スライド用溝と係合していることを特徴とするスライド式化粧料容器。
【請求項２】
前記スライド用レールは、前記環状パッキンが前記天板部に押圧されて前記容器本体が前記収納ケース内に収納されたときに、全長にわたって前記スライド用溝と係合していることを特徴とする請求項１に記載のスライド式化粧料容器。
【請求項３】
前記スライド用レールと前記スライド用溝とは、前記容器本体がスライド移動によって前記収納ケースから最も引き出された最大引出位置側から前記収納ケース内に収納される収納位置側に向かって上昇する傾斜を有していることを特徴とする請求項１または２に記載のスライド式化粧料容器。
【請求項４】
前記スライド用レールは、スライド方向において前記環状パッキンが設けられている領域にわたって設けられていることを特徴とする請求項１〜３いずれかの項に記載のスライド式化粧料容器。
【請求項５】
前記容器本体と前記収納ケースとは、前記容器本体が前記収納ケース内に収納された収納状態で互いに係合して当該収納状態を維持するロック機構を備えていることを特徴とする請求項１〜４いずれかの項に記載のスライド式化粧料容器。
【発明の詳細な説明】
【技術分野】
【０００１】
本発明は、化粧料収容部を有するスライド式化粧料容器に関する。
【背景技術】
【０００２】
化粧料収容部を有するスライド式化粧料容器としては、例えば、化粧料収容部を有する皿体と該皿体の後端に螺番を介して開閉自在に螺着した蓋体とからなる容器本体が、枠体内にスライド移動可能に収納され、蓋体の閉止状態では、皿体の上面周縁部に設けた環状パッキンと該蓋体の下面周縁部に形成した筒状リブとが当接するスライド式コンパクト容器が知られている（例えば、特許文献１参照）。このスライド式コンパクト容器では、枠体の左右側壁の内面の前後に離れた位置に、固定用突起を形成すると共に、皿体の左右側壁の外面の前後に離れた位置に、固定用突起を形成し、容器本体を枠体内に押し込む最終段階において、枠体の固定用突起の上面と皿体の固定用突起の下面とを当接・摺動させることにより、皿体を上方に押し上げて環状パッキンと筒状リブとを圧接させている。
【先行技術文献】
【特許文献】
【０００３】
【特許文献１】特許第５７２３５６５号公報
【発明の概要】
【発明が解決しようとする課題】
【０００４】
上記のスライド式コンパクト容器は、皿体を上方に押し上げて環状パッキンと筒状リブとを圧接させるために当接・摺動させる、枠体の固定用突起及び皿体の固定用突起は、いずれも枠体及び皿体の左右側壁の前後に離れた位置に形成されている。このため、枠体の固定用突起及び皿体の固定用突起の近傍においては、高い圧接力が得られるが、枠体の固定用突起及び皿体の固定用突起から離れるにつれて圧接力が弱まり、環状パッキンと筒状リブとを均一に圧接することは難しく、高い気密性が得られにくいという課題がある。
【０００５】
本発明は上記従来の課題に鑑みて創案されたものであって、閉止状態において、化粧料収容部の高い気密性を実現することが可能なスライド式化粧料容器を提供することを目的とする。
【課題を解決するための手段】
【０００６】
本発明にかかるスライド式化粧料容器は、化粧料を収容する容器本体が当該容器本体を収納可能な収納ケースに対しスライド方向にスライド移動自在に設けられているスライド式化粧料容器であって、前記収納ケースは、少なくとも収納された前記容器本体の上面を覆う天板部と、前記天板部における、スライド方向と交差する方向の両端部から各々垂設されたケース側板部とを備え、前記容器本体は、下方に窪む化粧料収容部と、上方に突出し前記化粧料収容部を囲む環状パッキンと、前記収納ケース内に収納された状態で前記ケース側板部と各々対向する容器側壁部とを備え、前記ケース側板部と前記容器側壁部とのうちのいずれか一方には、他方側に突出するスライド用レールが設けられ、いずれか他方には前記容器本体がスライド移動するときに前記スライド用レールが係合されるスライド用溝が設けられ、前記スライド用レールは、前記環状パッキンが前記天板部に押圧されて前記容器本体が前記収納ケース内に収納されたときに、前記環状パッキンが前記天板部に均一に接するように前記スライド用溝と係合していることを特徴とする。
【０００７】
前記スライド用レールは、前記環状パッキンが前記天板部に押圧されて前記容器本体が前記収納ケース内に収納されたときに、全長にわたって前記スライド用溝と係合していることを特徴とする。
【０００８】
前記スライド用レールと前記スライド用溝とは、前記容器本体がスライド移動によって前記収納ケースから最も引き出された最大引出位置側から前記収納ケース内に収納される収納位置側に向かって上昇する傾斜を有していることを特徴とする。
【０００９】
前記スライド用レールは、スライド方向において前記環状パッキンが設けられている領域にわたって設けられていることを特徴とする。
【００１０】
前記容器本体と前記収納ケースとは、前記容器本体が前記収納ケース内に収納された収納状態で互いに係合して当該収納状態を維持するロック機構を備えていることを特徴とする。
【発明の効果】
【００１１】
本発明に係るスライド式化粧料容器にあっては、快適な開閉操作性を確保しつつ、閉止状態における化粧料収容部の気密性を向上することができる。
【図面の簡単な説明】
【００１２】
【図１】本発明に係るスライド式化粧料容器の好適な一実施形態の外観を示す斜視図である。
【図２】図１に示したスライド式化粧料容器の容器本体を引き出した状態を示す斜視図である。
【図３】図１に示したスライド式化粧料容器の構成を示す分解斜視図である。
【図４】図１中、Ａ−Ａ線矢視断面図である。
【図５】図４中、Ｄ−Ｄ線矢視断面図である。
【図６】図１中、一部分を拡大して示した、Ｂ−Ｂ線矢視断面図である。
【図７】図２中、Ｃ−Ｃ線矢視断面図である。
【図８】図７中、Ｅ−Ｅ線矢視断面図である。
【発明を実施するための形態】
【００１３】
以下に、本発明にかかるスライド式化粧料容器に好適な一実施形態を、添付図面を参照して詳細に説明する。本実施形態のスライド式化粧料容器（以下、単に化粧料容器という）１は、化粧料が収容されスライド移動自在に設けられた容器本体２と、容器本体２がスライド移動して収納される収納ケース３とを備え、容器本体２が収納ケース３に収納されると、高さが幅及び奥行き長さより低い、おおよそ扁平な直方体形状をなしている。
【００１４】
以下の説明においては、化粧料容器１が使用可能な状態で平らに置かれたときに、上下となる方向を上下方向、容器本体２がスライド移動する方向を奥行き方向、奥行き方向と直交する方向を幅方向として示す。化粧料容器１の各部位についても、また、化粧料容器１を構成する各部材に関し単体の状態についても、使用可能に平らに置いた状態を基準として、上下方向、奥行き方向、幅方向の各方向で向きを特定して説明する。また、容器本体２がスライド移動するスライド方向において、容器本体２が引き出される側を手前側、容器本体２が収納される側を奥側とする。
【００１５】
収納ケース３は、化粧料容器１の上面をなし容器本体２の上方を覆うほぼ矩形板状の天板部３ａと、天板部３ａの幅方向における両端から垂設されているケース側板部３ｂと、天板部３ａ及び２つのケース側板部３ｂにおける奥側の端部同士を連結する後壁部３ｃとが一体形成されている。天板部３ａの下面には、外周部分を僅かに残しほぼ全面に、鏡や金属板などの平滑板材４が両面テープにより貼り付けられている。天板部３ａの下面と平滑板材４の下面とは、ほぼ同一平面をなすように形成されている。ここで、平滑板材４は、カシメなどにより固定されていてもよい。また、後壁部３ｃは必ずしも設けられていなくとも構わない。
【００１６】
ケース側板部３ｂには、互いに対向する内側に突出するスライド用レール３ｄが設けられている。スライド用レール３ｄは、収納ケース３の手前側から奥側に向かって高くなるように傾斜している。また、スライド用レール３ｄの最も手前側には、更に内側に突出する内突部３ｅが設けられている。スライド用レール３ｄと内突部３ｅとの詳細については後述する。
【００１７】
容器本体２は、平面視ほぼ矩形状の直方体状をなしている。容器本体２には、奥行き方向及び幅方向のほぼ中央に、下方に窪み化粧料が収容される化粧料収容部２ａが設けられている。化粧料収容部２ａは、全体として、角部を円弧状としたほぼ矩形状をなし、その内側は、３つの領域に仕切られている。
【００１８】
化粧料収容部２ａの外周には、当該化粧料収容部２ａを取り囲む周壁部２ｂを介して、その外側に周壁部２ｂに沿った環状の凹部２ｃが設けられている。凹部２ｃ内には、周壁部２ｂより上方に突出させて、弾性部材でなる環状パッキン５が設けられている。ここで、スライド方向である奥行き方向において、環状パッキン５が設けられている領域Ｓは、化粧料収容部２ａの手前側に位置している環状パッキン５の手前側部位５ａから、化粧料収容部２ａの奥側に位置している環状パッキン５の奥側部位５ｂまでの領域に相当する。
【００１９】
容器本体２の手前側の端には、上方に突出した突起部２ｄが容器本体２の全幅に渡って設けられている。突起部２ｄの頂部と周壁部２ｂの頂部とは、ほぼ同じ高さをなしており、容器本体２の他の上面２ｅより僅かに高く形成されている。
【００２０】
容器本体２の容器側壁部２ｆには、幅方向内側に窪むスライド用溝２ｇが設けられている。スライド用溝２ｇの高さ方向の幅は、収納ケース３に設けられているスライド用レール３ｄ及び内突部３ｅの高さ方向の幅より僅かに広く形成されている。また、スライド用溝２ｇも、収納ケース３のスライド用レール３ｄと同様に、容器本体２の手前側から奥側に向かって高くなるように傾斜している。スライド用溝２ｇの傾斜角度は、スライド用レール３ｄの傾斜角度と同じである。
【００２１】
スライド用溝２ｇは、容器側壁部２ｆの手前側の縁部２ｈを僅かに残し、容器側壁部２ｆのほぼ全域に設けられている。スライド用溝２ｇ内には、収納ケース３に設けられている内突部３ｅの奥行き方向の幅とほぼ同じ間隔で、縁部２ｈから空けた位置と奥側の端部との双方に配置して、幅方向外側に突出する溝内突起２ｉ、２ｊがそれぞれ設けられている。溝内突起２ｉ、２ｊの突出量は、収納ケース３に設けられた内突部３ｅがスライド用レール３ｄから突出している突出量とほぼ同じである。また、手前側の溝内突起２ｉは、先端が円弧状をなし、奥側の溝内突起２ｊは、手前側に、スライド用溝２ｇの長手方向とほぼ直交する平面２ｋを有している。
【００２２】
収納ケース３に設けられているスライド用レール３ｄは、収納ケース３の手前側の端から、容器本体２の縁部２ｈの奥行き方向の幅だけ、奥の位置から設けられている。このため、容器本体２が収納ケース３に収納されると、収納ケース３のスライド用レール３ｄ及び内突部３ｅの手前側の面に、容器本体２の縁部２ｈが当接されると共に、手前側の溝内突起２ｉが、収納ケース３の内突部３ｅの奥側に配置される。このとき、収納ケース３の手前側の端３ｆと容器本体２の手前側の面２ｌとは、ほぼ同一平面を形成する。
【００２３】
スライド用レール３ｄは、容器本体２が収納ケース３に収納された状態で、環状パッキン５が設けられている領域Ｓにわたって設けられている。このため、収納ケース３は、奥側に、スライド用レール３ｄが設けられていない領域を有している。そして、容器本体２が収納ケース３に収納されたときに、スライド用レール３ｄが設けられていない領域に、容器本体２の奥側の溝内突起２ｊが配置される。
【００２４】
この化粧料容器１では、容器本体２が収納ケース３に収納された収納状態で、化粧料収容部２ａの外側に設けられた環状パッキン５は平滑板材４に押圧され、当該環状パッキン５が圧縮されている状態で保持されている。この状態は、環状パッキン５の内側に設けられている化粧料収容部２ａと平滑板材４との間にて、環状パッキン５に囲まれた空間内が高い気密性を保持する化粧料容器１の閉止状態である。このとき、周壁部２ｂ及び突起部２ｄは、天板部３ａとの間に僅かに隙間を有しており、環状パッキン５が確実に圧縮されるように構成されている。
【００２５】
容器本体２が収納ケース３に収納された収納状態では、収納ケース３の内突部３ｅは容器本体２の縁部２ｈと手前側の溝内突起２ｉとの間に保持されて、容器本体２の奥行き方向のスライド移動が規制されている。収納状態における容器本体２の位置が、収納位置に相当する。また、収納ケース３の内突部３ｅと、容器本体２の縁部２ｈ及び手前側の溝内突起２ｉとが、化粧料容器１のロック機構に相当する。
【００２６】
化粧料容器１の化粧料収容部２ａを開く際に、容器本体２を収納ケース３から手前側に引くと、容器本体２に設けられた手前側の溝内突起２ｉが、収納ケース３の内突部３ｅに乗り上げ、手前側の溝内突起２ｉが内突部３ｅの容器本体２と対向する面を摺動しつつ、容器本体２が引き出される。このとき、溝内突起２ｉは内突部３ｅに乗り上げなければならないため、容器本体２を引き出すためには、所定以上の操作力が必要とされ、従って、操作されることなく自然に収納ケース３から容器本体２が抜け出ることを防止しており、また、溝内突起２ｉが内突部３ｅを摺動することにより、勢いよく容器本体２が引き出されてしまうことを防止している。
【００２７】
また、容器本体２が収納ケース３から引き出されるときには、収納ケース３に設けられ手前側から奥側に向かって高くなるように傾斜しているスライド用レール３ｄが、容器本体２に設けられ手前側から奥側に向かって高くなるように傾斜しているスライド用溝２ｇに係合して案内される。これにより、容器本体２は、引き出されるにつれて、天板部３ａ及び平滑板材４から離れる方向、すなわち下方にも移動する。このため、容器本体２が引き出されるにつれて、環状パッキン５の圧縮量は小さくなる。
【００２８】
化粧料容器１には、容器本体２のスライド用溝２ｇと収納ケース３のスライド用レール３ｄとがいずれも、容器本体２の奥行き方向の長さのほぼ全長にわたって設けられている。これにより、容器本体２を収納ケース３から引き出すときには、スライド用溝２ｇとスライド用レール３ｄとが、より長い範囲で係合しつつ容器本体２が引き出される。
【００２９】
収納ケース３から引き出された容器本体２は、奥側の溝内突起２ｊが有する平面２ｋが収納ケース３の内突部３ｅに当接されて、引き出される方向へのスライド移動が規制される。この状態は、容器本体２が収納ケース３から最も引き出された最大引出状態となり、最大引出状態における容器本体２の位置が、開放位置に相当する。
【００３０】
また、最大引出状態の容器本体２を収納ケース３に収納する際には、容器本体２を収納ケース３の奥側に押圧する。このとき、容器本体２は、スライド用溝２ｇがスライド用レール３ｄに係合して案内され、スライド用溝２ｇとスライド用レール３ｄとが有する傾斜に沿って、奥側にスライド移動しつつ漸次上昇し、天板部３ａ及び平滑板材４に近づく方向に移動する。
【００３１】
奥側にスライド移動する容器本体２は、手前側の溝内突起２ｉが収納ケース３の内突部３ｅに乗り上げる際に負荷が大きくなり、使用者がより大きな操作力で押圧することにより、手前側の溝内突起２ｉが、内突部３ｅの容器本体２と対向する面を摺動しつつ、スライド移動する。
【００３２】
容器本体２は、手前側の溝内突起２ｉが内突部３ｅを乗り越えて内突部３ｅの奥側に配置されるときに負荷が軽減し、収納ケース３のスライド用レール３ｄ及び内突部３ｅの手前側の端に容器本体２の縁部２ｈが当接されることで、容器本体２は収納ケース３に収納される。このとき、化粧料収容部２ａの外側に設けられた環状パッキン５が平滑板材４に最も押圧され、環状パッキン５が圧縮されている状態で保持される。負荷が軽減されると共に容器本体２の奥側へのスライド移動が規制されることにより、使用者は、化粧料収容部２ａが密閉されたことを認識する。
【００３３】
本実施形態に係るスライド式化粧料容器１によれば、容器本体２がスライド移動するときに係合しているスライド用レール３ｄとスライド用溝２ｇとは、容器本体２のほぼ全長にわたって設けられており、スライド移動する際に、より広い範囲でスライド用レール３ｄとスライド用溝２ｇとが係合するので、容器本体２を、常に安定した状態でスライド移動させることができる。これにより、快適な開閉操作性を確保することができる。また、スライド用レール３ｄとスライド用溝２ｇとは、環状パッキン５が圧縮されている容器本体２の収納状態で、奥行き方向へ環状パッキン５が設けられている領域Ｓの全域にわたって係合しているので、環状パッキン５が圧縮されている反力をスライド用レール３ｄ全体で受けることができる。このため、環状パッキン５を全体にわたって均等に圧縮して、当該環状パッキン５全体が天板部３ａ（平滑板材４）に均一に接することとなり、これにより、環状パッキン５で囲まれた空間に対し、高い気密性を確保することができる。よって、閉止状態において、化粧料収容部２ａの気密性を向上することができる。
【００３４】
また、スライド用レール３ｄとスライド用溝２ｇとは、容器本体２がスライド移動によって収納ケース３から最も引き出された最大引出位置側から収納ケース３内に収納される収納位置側に向かって上昇する傾斜を有しているので、収納位置において容器本体２と、天板部３ａ及び平滑板材４との間隔が最も近づく。このため、収納位置では、環状パッキン５が確実に圧縮され、引き出す際には漸次圧縮が弱まって、使用者が化粧料容器１を開ける操作の負荷が低減されるので、操作性に優れていると共に環状パッキン５の摩耗を抑制することができる。
【００３５】
また、スライド用レール３ｄとスライド用溝２ｇとは、容器本体２が収納ケース３内に収納された収納状態で、互いに係合されて収納状態を維持するロック機構をなす内突部３ｅと、縁部２ｈ及び手前側の溝内突起２ｉとを備えているので、化粧料収容部２ａと平滑板材４との間で環状パッキン５によって囲まれた空間内の、より高い気密性を維持することができる。
【００３６】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００３７】
１  化粧料容器
２  容器本体
２ａ  化粧料収容部
２ｂ  周壁部
２ｃ  凹部
２ｄ  突起部
２ｅ  上面
２ｆ  容器側壁部
２ｇ  スライド用溝
２ｈ  縁部
２ｉ  溝内突起
２ｊ  溝内突起
２ｋ  平面
２ｌ  容器本体の手前側の面
３  収納ケース
３ａ  天板部
３ｂ  ケース側板部
３ｃ  後壁部
３ｄ  スライド用レール
３ｅ  内突部
３ｆ  ケースの手前側の端
４  平滑板材
５  環状パッキン
５ａ  環状パッキンの手前側部位
５ｂ  環状パッキンの奥側部位
Ｓ  環状パッキンが設けられている領域
【図１】
2018149146.tif 000003
【図２】
2018149146.tif 000004
【図３】
2018149146.tif 000005
【図４】
2018149146.tif 000006
【図５】
2018149146.tif 000007
【図６】
2018149146.tif 000008
【図７】
2018149146.tif 000009
【図８】
2018149146.tif 000010